(57)【要約】      （修正有）【課題】強度低下を抑制しつつ容易に開放可能な箱体を形成できる箱用シートを提供する。【解決手段】箱用シートは、１枚の段ボールシートから形成され、底壁、一対の長辺側壁、一対の短辺側壁及び天壁を有する箱状に組み立てられ、上記長辺側壁がそれぞれ１枚の長辺側面パネルから形成される箱用シートであって、一方の上記長辺側面パネル１の下縁に沿って形成される基端切断線１４と、この基端切断線１４の両端及び上記長辺側面パネル１の上縁の両端間を接続するよう形成される一対の側面破断容易線１５とを有し、上記側面破断容易線１５が、上記基端切断線１４から略真上に延びる上伸部１８と、この上伸部１８の上端から上記長辺側面パネル１の上縁端部に斜めに延びる傾斜部１９とを有することを特徴とする。【選択図】図１
0003218331.tif 000002
【実用新案登録請求の範囲】
【請求項１】
１枚の段ボールシートから形成され、底壁、一対の長辺側壁、一対の短辺側壁及び天壁を有する箱状に組み立てられ、上記長辺側壁がそれぞれ１枚の長辺側面パネルから形成される箱用シートであって、
一方の上記長辺側面パネルの下縁に沿って形成される基端切断線と、この基端切断線の両端及び上記長辺側面パネルの上縁の両端間を接続するよう形成される一対の側面破断容易線とを有し、
上記側面破断容易線が、上記基端切断線から略真上に延びる上伸部と、この上伸部の上端から上記長辺側面パネルの上縁端部に斜めに延びる傾斜部とを有することを特徴とする箱用シート。
【請求項２】
上記底壁が、一対の上記長辺側面パネルの間に連設される１枚の底面パネルから形成され、
上記天壁が、一方の上記長辺側面パネルの上記底面パネルと反対側に連設される１枚の天面パネルから形成され、
上記短辺側壁が、上記一対の長辺側面パネルの側方に連設される一対の内フラップと、上記底面パネル及び上記天面パネルの側方に連設される一対の外フラップとによってそれぞれ形成され、
上記天面パネルの上記一方の長辺側面パネルと反対側に連設され、他方の上記長辺側面パネルに接着される継ぎしろをさらに備え、
上記天面パネルの両側縁に沿ってそれぞれ形成され、上記側面破断容易線に連続する一対の天面破断容易線をさらに有する請求項１に記載の箱用シート。
【請求項３】
上記段ボールシートの中芯の稜線が、上記長辺側面パネルの上下方向に配向されている請求項２に記載の箱用シート。
【請求項４】
上記天面破断容易線の長さが、上記天面パネルの側縁の長さの２０％以上４５％以下である請求項２又は請求項３に記載の箱用シート。
【請求項５】
上記天面パネルの両側縁に沿って上記天面破断容易線から連続するようそれぞれ形成され、上記段ボールシートの内面側を切断した一対の破断補助線をさらに有する請求項２、請求項３又は請求項４に記載の箱用シート。
【考案の詳細な説明】
【技術分野】
【０００１】
本考案は、箱用シートに関する。
【背景技術】
【０００２】
段ボールシートから形成される箱体が、様々な物品を収容する包装容器として広く利用されている。このような箱体の中には、天面全体を開放して収容している物品を取出し可能とできるよう構成されるものがある。
【０００３】
例えば実用新案登録第３０１９０７１号公報には、長辺側面パネルの中央部に手を差し込む差込孔を形成し、この差込孔の両端から長辺側面パネルの上縁両端に延び、さらに天面パネルの両側縁に沿って延びる一対の破断容易線を形成し、長辺側面パネルの上部及び天面パネル全体を開放できるようにする構成が記載されている。
【０００４】
上記公報に記載の構成では、差込孔に指を挿入するため、長辺側面パネルと収容する物品との間に十分な隙間を形成する必要がある。このため、差込孔は、段ボールシートの撓みを大きくすることができるよう、長辺側面パネルの中央に設けられる。この結果、差込孔の両端から長辺側面パネルの上縁両端に延びる破断容易線の上下方向に対する傾斜角度が大きくなり、確実に破断可能とするためには段ボールシートの切断率を大きくする必要がある。従って、上記公報に記載の構成では、箱体の強度が低下したり、箱体を積み重ねたときに長辺側面パネルの中央が大きく膨出する胴膨れが生じるおそれがある。
【先行技術文献】
【特許文献】
【０００５】
【特許文献１】実用新案登録第３０１９０７１号公報
【考案の概要】
【考案が解決しようとする課題】
【０００６】
上記不都合に鑑みて、本考案は、強度低下を抑制しつつ容易に開放可能な箱体を形成できる箱用シートを提供することを課題とする。
【課題を解決するための手段】
【０００７】
上記課題を解決するためになされた本考案の一態様に係る箱用シートは、１枚の段ボールシートから形成され、底壁、一対の長辺側壁、一対の短辺側壁及び天壁を有する箱状に組み立てられ、上記長辺側壁がそれぞれ１枚の長辺側面パネルから形成される箱用シートであって、一方の上記長辺側面パネルの下縁に沿って形成される基端切断線と、この基端切断線の両端及び上記長辺側面パネルの上縁の両端間を接続するよう形成される一対の側面破断容易線とを有し、上記側面破断容易線が、上記基端切断線から略真上に延びる上伸部と、この上伸部の上端から上記長辺側面パネルの上縁端部に斜めに延びる傾斜部とを有することを特徴とする。
【０００８】
当該箱用シートは、上記長辺側面パネルに設けられる一対の側面破断容易線の上伸部によって画定される帯状部と、傾斜部によって画定される三角状部とをその両側の部分から分離することにより開封することができる。ここで、開封開始時には、上記帯状部の下端を外側に引っ張ることで、上記上伸部を最も効率よく破断させられる方向に力を作用させられる。また、上記上伸部に連続して上記傾斜部を破断するため、上記傾斜部も比較的容易に破断することができる。このため、当該箱用シートは、上記側面破断容易線における段ボールシートの切断率を比較的小さくしても開封性を損なうことなく、上記側面破断容易線による上記長辺側面パネルの強度低下を小さくすることができる。これにより、当該箱用シートは、強度低下を抑制しつつ容易に開放可能な箱体を形成することができる。
【０００９】
当該箱用シートは、上記底壁が、一対の上記長辺側面パネルの間に連設される１枚の底面パネルから形成され、上記天壁が、一方の上記長辺側面パネルの上記底面パネルと反対側に連設される１枚の天面パネルから形成され、上記短辺側壁が、上記一対の長辺側面パネルの側方に連設される一対の内フラップと、上記底面パネル及び上記天面パネルの側方に連設される一対の外フラップとによってそれぞれ形成され、上記天面パネルの上記一方の長辺側面パネルと反対側に連設され、他方の上記長辺側面パネルに接着される継ぎしろをさらに備え、上記天面パネルの両側縁に沿ってそれぞれ形成され、上記側面破断容易線に連続する一対の天面破断容易線をさらに有してもよい。この構成によれば、上記長辺側面パネルの上記帯状部及び三角状部の開放後、上記側面破断容易線に連続する上記天面破断容易線を破断することによって、上記天面パネルをその両側に連接される上記外フラップから切り離し、箱体の天壁全体を開放することができる。
【００１０】
当該箱用シートにおいて、上記段ボールシートの中芯の稜線が、上記長辺側面パネルの上下方向に配向されていてもよい。このように、上記段ボールシートの中芯の稜線が、上記長辺側面パネルの上下方向に配向されていることによって、上記天面パネルを上記外フラップから切り離す際に、上記天面パネルの側縁に沿って正確に段ボールシートを破断することが容易となる。
【００１１】
当該箱用シートにおいて、上記天面破断容易線の長さが、上記天面パネルの側縁の長さの２０％以上４５％以下であることが好ましい。このように、上記天面破断容易線の長さが上記範囲内であることによって、当該箱用シートを組み立ててなる箱体の強度低下を抑制しつつ、上記天面パネルを容易に開放可能とすることができる。
【００１２】
当該箱用シートは、上記天面パネルの両側縁に沿って上記天面破断容易線から連続するようそれぞれ形成され、上記段ボールシートの内面側を切断した一対の破断補助線をさらに有してもよい。このように、上記天面破断容易線から連続するよう上記破断補助線を有することによって、当該箱用シートを組み立ててなる箱体の上記天面パネルをより容易に開放可能とすることができる。
【００１３】
ここで、「略真上」とは、鉛直方向に対する傾斜角度が５°以下であることを意味するものとする。
【考案の効果】
【００１４】
以上のように、本考案に係る箱用シートは、強度低下を抑制しつつ容易に開放可能な箱体を形成できる。
【図面の簡単な説明】
【００１５】
【図１】本考案の一実施形態の箱用シートを示す模式的平面図（展開図）である。
【図２】図１の箱用シートを組み立ててなる箱体の模式的斜視図である。
【図３】図２の箱体の開封状態を示す模式的斜視図である。
【図４】本考案の図１とは異なる実施形態の箱用シートを示す模式的平面図である。
【図５】図４の箱用シートを組み立ててなる箱体の開封状態を示す模式的斜視図である。
【考案を実施するための形態】
【００１６】
以下、適宜図面を参照しつつ、本考案の実施の形態を詳説する。
【００１７】
［第一実施形態］
図１に、本考案の第一実施形態に係る箱用シートを示す。当該箱用シートは、１枚の段ボールシートから形成される。
【００１８】
図１において、太い実線は段ボールシートを切断した切断線を示し、細い実線は段ボールシートの内面（組み立て状態で内側に配置される面）に筋押しして形成される罫線を示し、中間の太さの実線は段ボールシートの内面側を切断したハーフカット線（内面側のラーナーのみを切断してもよく、内面側のライナーと中芯の一部とを切断してもよい）を示す。なお、図１において、破線状に見える部分は、断続的に切断線、罫線又はハーフカット線が設けられている。
【００１９】
当該箱用シートを形成する段ボールシートとしては、１枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２０】
当該箱用シートは、図２に示すように、底壁、一対の長辺側壁、一対の短辺側壁及び天壁を有する箱状に組み立てられる。当該箱用シートを組み立ててなる箱体において、長辺側壁の水平方向の幅は、短辺側壁の水平方向の幅よりも大きい。
【００２１】
当該箱用シートは、一方の上記長辺側壁を形成する方形状の１枚の第１長辺側面パネル１と、この第１長辺側面パネル１の下縁に連設され、上記底壁を形成する方形状の１枚の底面パネル２と、この底面パネル２の第１長辺側面パネル１と反対側に連設され、他方の上記長辺側壁を形成する方形状の１枚の第２長辺側面パネル３と、第１長辺側面パネル１の上縁に連設され、上記天壁を形成する方形状の１枚の天面パネル４と、この天面パネル４の第１長辺側面パネル１と反対側に連設され、組み立て時に第２長辺側面パネル３に接着される継ぎしろ５と、第１長辺側面パネル１の側方両側に連設される一対の第１内フラップ６，７と、第２長辺側面パネル３の側方両側に連設される一対の第２内フラップ８，９と、底面パネル２の側方両側に連設される一対の下外フラップ１０，１１と、天面パネル４の側方両側に連設される一対の上外フラップ１２，１３とを備える。
【００２２】
当該箱用シートは、第２長辺側面パネル３の底面パネル２と反対側の端部の外側に継ぎしろ５を接着して、第１長辺側面パネル１、底面パネル２、第２長辺側面パネル３及び天面パネル４を四角筒状に連結し、この四角筒状体の両側の端部開口を内フラップ６〜９及び外フラップ１０〜１３で封止することで箱状に組み立てられる。より詳しくは、四角筒状体の一方の端部開口は、第１内フラップ６及び第２内フラップ８を内側に折り曲げ、この一対の内フラップ６，８の外側に下外フラップ１０及び上外フラップ１２を折り重ね、この一対の外フラップ１０，１２をそれぞれ一対の内フラップ６，８に接着することで封止される。同様に、四角筒状体の他方の端部開口は、一対の内フラップ７，９と一対の外フラップ１１，１３とによって封止される。
【００２３】
なお、本明細書において、「上」及び「下」とは、想定される一般的な使用態様における上下方向を意味し、「側方」とは上下方向に垂直な方向（水平方向）の外側を意味するが、当該箱用シートの製造時の向きや当該箱用シートを組み立ててなる箱体の使用時の向き制限するものではない。
【００２４】
当該箱用シートは、第１長辺側面パネル１の下縁部に沿って形成される基端切断線１４と、この基端切断線１４の両端及び第１長辺側面パネル１の上縁の両端間をそれぞれ接続するよう形成される一対の側面破断容易線１５と、天面パネル４の両側縁の第１長辺側面パネル１側部分に沿ってそれぞれ形成され、側面破断容易線１５に連続する一対の天面破断容易線１６と、天面パネル４の両側縁に沿って天面破断容易線１６から連続するよう形成され、段ボールシートの内面側を断続的に切断した破線状の一対の破断補助線１７とを有する。
【００２５】
また、当該箱用シートは、天面破断容易線１６及び破断補助線１７に沿って正確に段ボールシートを破断しやすくするために、段ボールシートの中芯の稜線が、第１長辺側面パネル１の上下方向に配向されていることが好ましい。
【００２６】
＜基端切断線＞
基端切断線１４は、第１長辺側面パネル１の左右方向中央且つ第１長辺側面パネル１の下縁又はその近傍、好ましくは第１長辺側面パネル１の下縁上又は底面パネル２の第１長辺側面パネル１の近傍領域に水平方向に延びるよう形成される。
【００２７】
基端切断線１４の第１長辺側面パネル１の下縁からの距離の上限としては、当該箱用シートを形成する段ボールシートの平均厚さの１．０倍が好ましく、０．８倍がより好ましい。基端切断線１４の第１長辺側面パネル１の下縁からの距離が上記上限を超える場合、当該箱用シートを箱状に組み立てたときに基端切断線１４が底壁から下方に突出して他の物体に引っ掛かって箱体が意図せずに開封されるおそれがある。
【００２８】
＜側面破断容易線＞
側面破断容易線１５は、基端切断線１４の端部から真上に延びる上伸部１８と、この上伸部１８の上端から第１長辺側面パネル１の上縁端部に斜めに延びる傾斜部１９とを有する。傾斜部１９の下端は、上伸部１８と滑らかに接続されるよう湾曲していることが好ましい。
【００２９】
一対の上伸部１８は、その間に帯状に分離される帯状部Ａ１を画定し、一対の傾斜部１９は、その間に三角形状に分離される三角状部Ａ２を画定する。当該箱用シートを組み立ててなる箱体は、第１長辺側面パネル１から帯状部Ａ１及び三角状部Ａ２を分離することによって、側壁に開口を形成することができる。
【００３０】
側面破断容易線１５は、破断を予定する仮想線に沿って間隔を空けて設けられる複数の切目２０から形成することができる。この切目２０は、上記仮想線上に形成される主部と、この主部の下側の端部から隣接する主部側且つ内側に傾斜して延びる受部とを有する「く」の字状に形成されることが好ましい。
【００３１】
（上伸部）
上伸部１８の長さの下限としては、２０ｍｍが好ましく、２５ｍｍがより好ましい。一方、上伸部１８の長さの上限としては、５０ｍｍが好ましく、４０ｍｍがより好ましい。上伸部１８の長さが上記下限に満たない場合、上伸部１８の破断を十分に容易化できないおそれや、上伸部１８の段ボールシート切断率が大きくなり第１長辺側面パネル１の強度が不十分となるおそれがある。逆に、上伸部１８の長さが上記上限を超える場合、傾斜部１９の傾斜角度が大きくなるため、力が作用する方向が傾斜部１９の向きと大きく異なることで傾斜部１９の破断が難しくなるおそれや、傾斜部１９の段ボールシート切断率が大きくなることで第１長辺側面パネル１の強度が不十分となるおそれがある。
【００３２】
一対の側面破断容易線１５の上伸部１８の平均間隔（帯状部Ａ１の平均幅）の下限としては、２５ｍｍが好ましく、３０ｍｍがより好ましい。一方、一対の側面破断容易線１５の上伸部１８の平均間隔の上限としては、７０ｍｍが好ましく、５０ｍｍがより好ましい。一対の側面破断容易線１５の上伸部１８の平均間隔が上記下限に満たない場合、帯状部Ａ１を把持することが容易でなくなるおそれや、帯状部Ａ１が破断しやすくなるおそれがある。逆に、一対の側面破断容易線１５の上伸部１８の平均間隔が上記上限を超える場合、基端切断線１４が長くなることで当該箱用シートを組み立ててなる箱体の強度が不必要に低下するおそれや、開封時に一対の上伸部１８に均等に力を作用させることが容易でなくなるおそれがある。
【００３３】
（傾斜部）
傾斜部１９の鉛直方向に対する傾斜角度の下限としては、２５°が好ましく、３０°がより好ましい。一方、傾斜部１９の鉛直方向に対する傾斜角度の上限としては、４５°が好ましく、４０°がより好ましい。傾斜部１９の鉛直方向に対する傾斜角度が上記下限に満たない場合、上伸部１８の長さを確保できないおそれがある。逆に、傾斜部１９の鉛直方向に対する傾斜角度が上記上限を超える場合、傾斜部１９の破断が難しくなるおそれや、傾斜部１９の段ボールシート切断率が大きくなり第１長辺側面パネル１の強度が不十分となるおそれがある。
【００３４】
傾斜部１９の湾曲部の最小曲率半径の下限としては、３ｃｍが好ましく、５ｃｍがより好ましい。一方、傾斜部１９の湾曲部の最小曲率半径の上限としては、１２ｃｍが好ましく、１０ｃｍがより好ましい。傾斜部１９の湾曲部の最小曲率半径が上記下限に満たない場合、帯状部Ａ１の上端で段ボールシートが破断して傾斜部１９を上伸部１８に連続して破断できなくなるおそれがある。逆に、傾斜部１９の湾曲部の最小曲率半径が上記上限を超える場合、上伸部１８の長さを確保できないおそれや、傾斜部１９の上記傾斜角度が大きくなり過ぎるおそれがある。
【００３５】
当該箱用シートは、図３に示すように、第１長辺側面パネル１に設けられる一対の側面破断容易線１５の上伸部１８によって画定される帯状部Ａ１と、傾斜部１９によって画定される三角状部Ａ２とを第１長辺側面パネル１の両側の部分から分離することにより側面を開封することができる。この構成によれば、箱体の開封開始時には、帯状部Ａ１の下端を外側に引っ張ることで、上伸部１８を最も効率よく破断させられる方向に力を作用させられる。また、上伸部１８に連続して傾斜部１９を破断するため、傾斜部１９も比較的容易に破断することができる。このため、当該箱用シートは、側面破断容易線１５における段ボールシートの切断率を比較的小さくしても開封性を損なうことなく、側面破断容易線１５による第１長辺側面パネル１の強度低下を小さくすることができる。これにより、当該箱用シートは、強度低下を抑制しつつ容易に開放可能な箱体を形成することができる。
【００３６】
＜天面破断容易線＞
天面破断容易線１６は、側面破断容易線１５と同様に、天面パネル４の側縁（上外フラップ１２，１３との境界）に沿って間隔を空けて設けられる複数の切目２０から形成することができる。この切目２０は、上記仮想線上に形成される主部と、この主部の下側の端部から隣接する主部の短部側且つ内側（他方の天面破断容易線１６側）に傾斜して延びる受部とを有する構成とすることが好ましい。
【００３７】
天面破断容易線１６の長さの下限としては、天面パネル４の側縁の長さの２０％が好ましく、２５％がより好ましい。一方、天面破断容易線１６の長さの上限としては、天面パネル４の側縁の長さの４５％が好ましく、４０％がより好ましい。天面破断容易線１６の長さが上記下限に満たない場合、天面パネル４と上外フラップ１２，１３とを正確に分離することが容易でなくなるおそれがある。逆に、天面破断容易線１６の長さが上記上限を超える場合、当該箱用シートを組み立ててなる箱体の強度が不十分となるおそれがある。
【００３８】
＜破断補助線＞
破断補助線１７は、連続して形成されてもよいが、当該箱用シートを組み立ててなる箱体の強度低下を抑制するために、断続的に形成されることが好ましい。この破断補助線１７は、天面パネル４と上外フラップ１２，１３との境界を画定する罫線に重ねて形成してもよいが、１つのトムソン型で形成可能とするために、ハーフカット線のみから形成されてもよく、罫線とハーフカット線とを交互に配置して形成されてもよい。
【００３９】
破断補助線１７における内面側のライナーの切断率の下限としては、３０％が好ましく、４０％がより好ましい。破断補助線１７における内面側のライナーの切断率の上限としては、７０％が好ましく、６０％がより好ましい。破断補助線１７における内面側のライナーの切断率が上記下限に満たない場合、天面パネル４と上外フラップ１２，１３との境界に沿って正確に段ボールシートを破断することが容易でなくなるおそれがある。逆に、破断補助線１７における内面側のライナーの切断率が上記上限を超える場合、当該箱用シートを組み立ててなる箱体の強度が不十分となるおそれがある。
【００４０】
当該箱用シートを組み立ててなる箱体は、側面破断容易線１５の破断による第１長辺側面パネル１の帯状部Ａ１及び三角状部Ａ２の分離後、側面破断容易線１５に連続する天面破断容易線１６及び破断補助線１７を破断することによって、天面パネル４をその両側に連接される上外フラップ１２，１３から切り離し、箱体の天壁全体を容易に開放することができる。
【００４１】
また、当該箱用シートを組み立ててなる箱体は、上述のように側面破断容易線１５の破断が比較的容易であるため、側面破断容易線１５における段ボールシートの切断率を比較的小さくすることができ、第１長辺側面パネル１の強度低下、特に座屈強度の低下を抑制することができる。
【００４２】
また、当該箱用シートは、底面パネル２に隣接する第１長辺側面パネル１、第２長辺側面パネル３及び下外フラップ１０，１１の下部（底面パネル２の近傍部分）にそれぞれ形成され、底面パネル２からの距離が等しい破線状の罫線からなる座屈誘導線２１〜２４を有する。
【００４３】
当該箱用シートは、座屈誘導線２１〜２４を有することによって、組み立ててなる箱体を積み重ねたときに、長辺側壁及び短辺側壁が座屈誘導線２１〜２４で折れ曲がることにより均等に潰れて収容する物品の高さと箱体の内部空間の高さとの差を吸収する。このように、座屈誘導線２１〜２４により積極的に側壁を座屈させることで、下側の箱体が不均等に潰れて上側の箱体が落下しやすくなることを防止することができる。
【００４４】
座屈誘導線２１〜２４の底面パネル２からの平均距離の下限としては、段ボールシートの平均厚さの２．０倍が好ましく、２．５倍がより好ましい。一方、座屈誘導線２１〜２４の底面パネル２からの平均距離の上限としては、段ボールシートの平均厚さの１０倍が好ましく、５倍がより好ましい。座屈誘導線２１〜２４の底面パネル２からの平均距離が上記下限に満たない場合、当該箱用シートを組み立ててなる箱体の積み重ね時の潰れを十分に吸収できないおそれがある。逆に、座屈誘導線２１〜２４の底面パネル２からの平均距離が上記上限を超える場合、当該箱用シートを組み立ててなる箱体の積み重ね時の潰れが目立ちやすくなるおそれがある。
【００４５】
内フラップ６〜９は、座屈誘導線２１〜２４の延長線上又はそれより上方に下縁が配置される略方形状の本体部２５と、この本体部２５の下縁の先端部（第１長辺側面パネル１及び第２長辺側面パネル３と反対側の端部）から下方に延出する突起部２６とをそれぞれ有する。
【００４６】
内フラップ６〜９の本体部２５は、当該箱用シートを組み立ててなる箱体において、下外フラップ１０，１１の座屈誘導線よりも上側に貼着される。このため、内フラップ６〜９の本体部２５は、下外フラップ１０，１１の座屈誘導線２１〜２４における座屈を阻害しない。
【００４７】
また、内フラップ６〜９の突起部２６は、当該箱用シートを箱状に組み立てる際に、底面パネル２の内面に当接することで長辺側面パネル１，３が底面パネル２に対して略垂直になるようにする。これにより、当該箱用シートを組み立ててなる箱体の歪みを抑制することができる。当該箱用シートを組み立ててなる箱体の積み重ね時の短辺側壁の座屈誘導線２３，２４における座屈を容易にするために、突起部２６と本体部２５との境界又は突起部２６の上部には、折曲容易線２７が設けられることが好ましい。この折曲容易線２７は、展開状態で座屈誘導線２１，２２の延長線上に設けられることがより好ましい。また、折曲容易線２７は、例えば罫線、ハーフカット線、ミシン目状の切断線等から形成することができる。
【００４８】
突起部２６の水平方向の幅（本体部２５との境界における幅）の下限としては、１０ｍｍが好ましく、２０ｍｍがより好ましい。一方、突起部２６の水平方向の幅の上限としては、５０ｍｍが好ましく、４０ｍｍがより好ましい。突起部２６の水平方向の幅が上記下限に満たない場合、突起部２６の強度が不足して当該箱用シートを正確な箱状に組み立てることを促進できないおそれがある。逆に、突起部２６の水平方向の幅が上記上限を超える場合、当該箱用シートを組み立ててなる箱体の短辺側壁の座屈誘導線２３，２４における座屈を内フラップ６〜９が阻害するおそれがある。
【００４９】
［第二実施形態］
図４に、本考案の第二実施形態に係る箱用シートを示す。図４の箱用シートは、図１の箱用シートと同様に、１枚の段ボールシートから形成される。図４において、太い実線は段ボールシートを切断した切断線を示し、細い実線は段ボールシートの内面に筋押しして形成される罫線を示す。
【００５０】
当該箱用シートは、底壁、一対の長辺側壁、一対の短辺側壁及び天壁を有する箱状に組み立てられる。当該箱用シートを組み立ててなる箱体において、長辺側壁の水平方向の幅は、短辺側壁の水平方向の幅よりも大きい。
【００５１】
当該箱用シートは、一方の上記長辺側壁を形成する方形状の１枚の第１長辺側面パネル３１と、この第１長辺側面パネル３１の一方側の側方に連設され、一方の上記短辺側壁を形成する方形状の１枚の第１短辺側面パネル３２と、この第１短辺側面パネル３２の一方側（第１長辺側面パネル３１と反対側）の側方に連接される第２長辺側面パネル３３と、第１長辺側面パネル３１の他方側の側方に連設され、他方の上記短辺側壁を形成する方形状の１枚の第２短辺側面パネル３４と、第２長辺側面パネル３３の第１短辺側面パネル３２と反対側の側方に連接され、組み立て時に第２短辺側面パネル３４に接着される継ぎしろ３５と、第１長辺側面パネル３１の上側に連設される第１蓋外フラップ３６及び下側に連接される第１底外フラップ３７と、第２長辺側面パネル３３の上側に連設される第２蓋外フラップ３８及び下側に連接される第２底外フラップ３９と第１短辺側面パネル３２の上側に連設される第１蓋内フラップ４０及び下側に連接される第１底内フラップ４１と、第２短辺側面パネル３４の上側に連設される第２蓋内フラップ４２及び下側に連接される第２底内フラップ４３とを備える。
【００５２】
当該箱用シートは、第１長辺側面パネル３１の下縁部に沿って形成される基端切断線４４と、この基端切断線４４の両端及び第１長辺側面パネル３１の上縁の両端間をそれぞれ接続するよう形成される一対の側面破断容易線４５とを有する。
【００５３】
また、当該箱用シートは、組み立て時の座屈強度を向上するために、段ボールシートの中芯の稜線が、第１長辺側面パネル３１の上下方向に配向されていることが好ましい。
【００５４】
当該箱用シートは、通常、第１長辺側面パネル３１及び第１短辺側面パネル３２間並びに第２短辺側面パネル３４及び第２長辺側面パネル３３間で段ボールシートを１８０°折り返して、第２短辺側面パネル３４の第１長辺側面パネル３１と反対側の側縁近傍領域の内面側に継ぎしろ３５を接着した状態でユーザーに提供される。
【００５５】
当該箱用シートは、第１長辺側面パネル３１及び第２長辺側面パネル３３並びに第１短辺側面パネル３２及び第２短辺側面パネル３４をそれぞれ対向させて４つの側面パネル３１〜３４を四角筒状に配置した状態で、底内フラップ４１，４３を内側に折り曲げてこの底内フラップ４１，４３の外側に底外フラップ３７，３９を折り重ねることによって底壁を形成し、蓋内フラップ４０，４２を内側に折り曲げてこの蓋内フラップ４０，４２の外側に蓋外フラップ３６，３８を折り重ねることによって天壁を形成することで箱状に組み立てられる。
【００５６】
当該箱用シートの組み立てに際しては、ホットメルト接着剤によって蓋内フラップ４０，４２に蓋外フラップ３６，３８が接着されることが予定される。
【００５７】
＜基端切断線＞
図４の箱用シートにおける基端切断線４４は、図１の箱用シートにおける基端切断線１４と同様とすることができる。
【００５８】
＜側面破断容易線＞
側面破断容易線４５は、基端切断線４４の端部から真上に延びる上伸部４６と、この上伸部４６の上端から第１長辺側面パネル３１の上縁端部に斜めに延びる傾斜部４７とを有する。
【００５９】
図４の箱用シートにおける側面破断容易線４５（上伸部４６及び傾斜部４７等の構成）は、図１の箱用シートにおける側面破断容易線１５と同様とすることができる。
【００６０】
当該箱用シートを組み立ててなる箱体は、上伸部４６によって画定される帯状部及び傾斜部４７によって画定される三角状部を第１長辺側面パネル３１の他の部分から分離すると共に、三角状部に連接される第１蓋外フラップ３６を蓋内フラップ４０，４２から剥離させることによって、側壁及び天壁に開口を形成することができる。当該箱用シートを組み立ててなる箱体は、このように第１蓋外フラップ３６を分離することにより、さらに第２蓋外フラップ３８を蓋内フラップ４０，４２から容易に剥離させ、図５に示すように天壁全体を開放することができる。
【００６１】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６２】
当該箱用シートにおいて、天面破断容易線及び破断補助線を省略してもよく、罫線に沿って段ボールシートを破断させるようにしてもよい。また、当該箱用シートにおいて、破断補助線は連続するハーフカット線から形成されてもよい。また、当該箱用シートにおいて、天面破断容易線を省略して天面パネルの両側縁全体にハーフカット線から形成される破断補助線を設けてもよい。
【産業上の利用可能性】
【００６３】
本考案に係る箱用シートは、比較的重量が大きく、強度を有する物品を包装するために特に好適に利用することができる。
【符号の説明】
【００６４】
１  第１長辺側面パネル
２  底面パネル
３  第２長辺側面パネル
４  天面パネル
５  継ぎしろ
６，７  第１内フラップ
８，９  第２内フラップ
１０，１１  下外フラップ
１２，１３  上外フラップ
１４  基端切断線
１５  側面破断容易線
１６  天面破断容易線
１７  破断補助線
１８  上伸部
１９  傾斜部
２０  切目
２１〜２４  座屈誘導線
２５  本体部
２６  突起部
２７  折曲容易線
３１  第１長辺側面パネル
３２  第１短辺側面パネル
３３  第２長辺側面パネル
３４  第２短辺側面パネル
３５  継ぎしろ
３６  第１蓋外フラップ
３７  第１底外フラップ
３８  第２蓋外フラップ
３９  第２底外フラップ
４０  第１蓋内フラップ
４１  第１底内フラップ
４２  第２蓋内フラップ
４３  第２底内フラップ
４４  基端切断線
４５  側面破断容易線
４６  上伸部
４７  傾斜部
Ａ１  帯状部
Ａ２  三角状部
【図１】
0003218331.tif 000003
【図２】
0003218331.tif 000004
【図３】
0003218331.tif 000005
【図４】
0003218331.tif 000006
【図５】
0003218331.tif 000007